(57)【要約】【課題】  ＩＣタグ付き印刷用紙のＩＣタグ位置に拘わらず安定各確実にＩＣタグに対して情報の読み書きを行うことができるようにした印刷装置を提供する。【解決手段】  印刷装置のＩＣタグ３が設けられた印刷用紙が排出される排出部または印刷用紙を保存する用紙トレイにＩＣタグリーダ１を印刷用紙の搬送方向とは直交する水平方向に印刷装置に沿って移動させるＩＣタグリーダ移動機構部を設け、印刷用紙の種類によって、ＩＣタグリーダ１の位置をＩＣタグ３との通信状態が良好となる位置に制御する。ＩＣタグリーダ１の移動位置の設定は、ホスト１０または操作部７より行い、制御部６を通じて、モータ５を駆動し、ＩＣタグリーダ移動機構部を用いてＩＣタグリーダ１を所望の位置に移動制御する。【選択図】  図２
2007283589.tif 000002
【特許請求の範囲】
【請求項１】
ＲＦＩＤが設けられた印刷媒体を使用して印刷を行う印刷装置において、
前記ＲＦＩＤと通信する通信手段と、
前記通信手段を前記印刷媒体に沿って移動させる移動手段と、
前記移動手段による前記通信手段の移動位置を前記ＲＦＩＤとの通信状態が良好となる位置に制御する制御手段と
を具備することを特徴とする印刷装置。
【請求項２】
前記通信手段は、
前記ＲＦＩＤとの通信により該ＲＦＩＤに対して情報の書き込みまたは読み取りを行なう
ことを特徴とする請求項１記載の印刷装置。
【請求項３】
前記制御手段は、
前記移動手段による前記通信手段の移動位置を前記通信手段の受信強度が最も高くなる位置に制御する
ことを特徴とする請求項１又は２に記載の印刷装置。
【請求項４】
前記制御手段は、
前記移動手段による前記通信手段の移動位置を前記通信手段が前記ＲＦＩＤと通信を行う際に制御する
ことを特徴とする請求項１乃至３のいずれかに記載の印刷装置。
【請求項５】
前記通信手段の位置を制御するための情報を入力する操作入力手段
を更に具備し、
前記制御手段は、
前記操作手段によリ入力された入力情報に基づき前記移動手段による前記通信手段の移動位置を制御する
ことを特徴とする請求項１乃至４のいずれかに記載の印刷装置。
【請求項６】
前記制御手段は、
外部装置からの入力情報を受け付け、該入力情報に基づき前記移動手段による前記通信手段の移動位置を制御する
ことを特徴とする請求項１乃至４のいずれかに記載の印刷装置。
【請求項７】
前記入力情報は、
前記通信手段の移動指示情報である
ことを特徴とする請求項５又は６に記載の印刷装置。
【請求項８】
前記入力情報は、
前記印刷媒体の用紙の種類または印刷用紙の方向に関する情報である
ことを特徴とする請求項５又は６に記載の印刷装置。
【発明の詳細な説明】
【技術分野】
【０００１】
本発明は、ＲＦＩＤ（Radio Frequency Identification：以下ＩＣタグという）が設けられた印刷媒体を使用して印刷を行う印刷装置に関し、特に、ＩＣタグとの通信を確実に行なうことができるようにした印刷装置に関する。
【背景技術】
【０００２】
一般に、印刷を行う場合においては、印刷すべき情報と印刷用紙のサイズや紙質に関する情報を印刷装置に通知して印刷を行う。ここで、印刷用紙のサイズ情報については、印刷装置に付随するカセットトレイ等に組み込まれているセンサで検出され、印刷用紙の紙質情報については、予めユーザが印刷装置に対して設定する。そして、ユーザが印刷すべき情報と印刷用紙に関する情報とを印刷装置に対して通知すると、その通知に基づいて、その印刷用紙の有無と印刷用紙の選択が印刷装置でなされて、実際に印刷が行われる。すなわち、印刷用紙に関する情報は、印刷装置によって行われる。
【０００３】
ところで、近年においては、ＩＣタグに関する技術が進歩し、そのＩＣタグには一定の情報を蓄積できる上、非接触でその情報を読み書きすることができるという優れた利便性を有することから、物流業界を中心に使用されて始めている。そして、今日においては、かかる利便性に着目して、その他の業界にも幅広く使用されつつある。
【０００４】
そのようなＩＣタグの利便性を生かして一般の印刷用紙に適用したものが、特許文献１に記載されている。特許文献１には、印刷用紙にＩＣタグを埋め込み、そのＩＣタグに紙質情報を記憶させたものが提案されている。このようなＩＣタグ付き印刷用紙を使うことで、印刷用紙の種別を非接触で外部から判定することができるという利点がある。
【０００５】
また、特許文献２に記載されるように、このようなＩＣタグ付き印刷用紙を利用して印刷設定内容を自働設定することができる印刷装置も提案されている。かかる印刷装置には、ＩＣタグの読取部を有し、その読取部でＩＣタグに蓄えられた情報を読み取ることで、印刷装置側の用紙に関する設定を行うことができ、毎回の印刷動作ごと煩雑な設定作業を自動化することができるという利点を有する。
【特許文献１】特開２００３−６４５９８号
【特許文献２】特開２００３−５４０７５号
【発明の開示】
【発明が解決しようとする課題】
【０００６】
しかしながら、一般の印刷用紙は一定の規格によって定められているため、通常の印刷においては、特段困ることはないが、特許文献１に記載されたＩＣタグ付き印刷用紙を実際の印刷装置において使用する場合には、印刷用紙自体は一般の印刷用紙であるがゆえに、その印刷用紙には、印刷すべき情報を記録することはできても、ＩＣタグに記録する情報については、ＩＣタグの位置がその印刷用紙上どこにあるか不明のため、そのＩＣタグに対して確実に通信を行い、情報を読み書きすることは困難であった。特に、ＩＣタグは技術の進歩とともに、さらなる小型化がなされており、また、その指向性や、印刷用紙上におけるＩＣタグの位置により、情報の読み書きは更に困難になっている。
【０００７】
また、特許文献２に記載される印刷装置においては、ＩＣタグの情報を読み取る読取部が設けられているが、多種多様なＩＣタグ付き印刷用紙には対応することができない。このことは、ＩＣタグ付き印刷用紙に情報を書き込む場合にも同様である。
【０００８】
そこで、本発明は、ＩＣタグ付き印刷用紙のＩＣタグ位置に拘わらず安定各確実にＩＣタグに対して情報の読み書きを行うことができるようにした印刷装置を提供することを目的とする。
【課題を解決するための手段】
【０００９】
上記目的を達成するため、請求項１の発明は、ＲＦＩＤが設けられた印刷媒体を使用して印刷を行う印刷装置において、前記ＲＦＩＤと通信する通信手段と、前記通信手段を前記印刷媒体に沿って移動させる移動手段と、前記移動手段による前記通信手段の移動位置を前記ＲＦＩＤとの通信状態が良好となる位置に制御する制御手段とを具備することを特徴とする。
【００１０】
また、請求項２の発明は、請求項１の発明において、前記通信手段は、前記ＲＦＩＤとの通信により該ＲＦＩＤに対して情報の書き込みまたは読み取りを行なうことを特徴とする。
【００１１】
また、請求項３の発明は、請求項１又は２の発明において、前記制御手段は、前記移動手段による前記通信手段の移動位置を前記通信手段の受信強度が最も高くなる位置に制御することを特徴とする。
【００１２】
また、請求項４の発明は、請求項１乃至３のいずれかの発明において、前記制御手段は、前記移動手段による前記通信手段の移動位置を前記通信手段が前記ＲＦＩＤと通信を行う際に制御することを特徴とする。
【００１３】
また、請求項５の発明は、請求項１乃至４のいずれかの発明において、前記通信手段の位置を制御するための情報を入力する操作入力手段を更に具備し、前記制御手段は、前記操作手段によリ入力された入力情報に基づき前記移動手段による前記通信手段の移動位置を制御することを特徴とする。
【００１４】
また、請求項６の発明は、請求項１乃至４のいずれかの発明において、前記制御手段は、外部装置からの入力情報を受け付け、該入力情報に基づき前記移動手段による前記通信手段の移動位置を制御することを特徴とする。
【００１５】
また、請求項７の発明は、請求項５又は６の発明において、前記入力情報は、前記通信手段の移動指示情報であることを特徴とする。
【００１６】
また、請求項８の発明は、請求項５又は６の発明において、前記印刷媒体の用紙の種類または印刷用紙の方向に関する情報であることを特徴とする。
【発明の効果】
【００１７】
本発明によれば、ＩＣタグ付き印刷用紙に印刷を行う場合、種々あるＩＣタグ付き印刷用紙のＩＣタグの位置に拘わらず、ＩＣタグに対する情報の読み書きを安定かつ確実に行なうことができる。すなわち、ＩＣタグリーダ（ＩＣタグリーダ・ライタ）を移動手段で任意の位置に移動させることで、ＩＣタグの位置に拘わらず対応することができる。さらに、指向性のあるＩＣタグのアンテナが小さくＩＣタグリーダ（ＩＣタグリーダ・ライタ）との距離が非常に短くなる近傍型ＩＣタグであっても、確実に読み取り（書き込み）が可能となる。
【００１８】
また、操作パネルやホストからの指示により、ＩＣタグリーダ（ＩＣタグリーダ・ライタ）を移動させることが可能となるので、自由度の高い位置決めが可能となる。
【発明を実施するための最良の形態】
【００１９】
以下、この発明に係わる画像形成装置の実施例について添付図面を参照して詳細に説明する。
【実施例１】
【００２０】
図１は、本発明の実施例１に係わる印刷装置のＩＣタグリーダ移動機構部の概略を示したものである。実施例１において、ＩＣタグリーダ１は、ねじシャフト４により支えられており、後述するモータ駆動により、ねじシャフト４を回転させることにより、ＩＣタグリーダ１を用紙の搬送方向とは直交する水平方向に移動可能に構成されている。
【００２１】
印刷用紙２にはＩＣタグ３が設けられており、ＩＣタグリーダ１は、ねじシャフト４の回転によりＩＣタグ３の位置に移動されて、ＩＣタグ３から情報の読み出しを行なう。
【００２２】
なお、ここで、ＩＣタグリーダ１は読み取りおよび書き込み可能なＩＣタグリーダ・ライタとしても良く、その際には、印刷用紙２のＩＣタグ３に情報を書き込むと同時に、ＩＣタグ３に対しても所定の情報を書き込むことが可能となる。
【００２３】
このＩＣタグリーダ移動機構部は、印刷装置の印刷用紙が排出される排出部（図示しない）に設けても良いし、印刷用紙を保存する用紙トレイ（図示しない）に設けてもよい。特にＩＣタグリーダ・ライタとして印刷用紙にあるＩＣタグ３に情報を書き込む場合には、後者に設けるのが効果的である。
【００２４】
ＩＣタグリーダ１によるＩＣタグ３との通信には、ＩＣタグ３と非接触で行うことになるが、その際、ＩＣタグリーダ１とＩＣタグ３との距離が問題となる。そのため、ＩＣタグ３からの情報を確実に得るために、このＩＣタグリーダ移動機構部を用いてＩＣタグリーダ１をＩＣタグ３と確実に通信可能となる位置まで移動する。
【００２５】
また、ＩＣタグ３は、一般にＩＣチップ部分とアンテナ部分が一体となったもの（図示しない）が主流であるが、ＩＣチップ部分とアンテナ部分とが分離可能なＩＣタグで有る場合は、ＩＣタグリーダ１をＩＣタグ３のアンテナ部分と通信可能な位置まで移動すればよい。
【００２６】
なお、ＩＣタグリーダ１を移動する一例として、ねじシャフト４を用いたもので示しているが、ＩＣタグリーダ１を移動することができれば、これに限定されることなく、ガイドレール、ベルト、ワイアー等であっても良い。
【００２７】
また、図１では、印刷用紙として連続紙を用いて説明しているが、後述するように、所定の規定によりカットされたカット紙（Ａ４、Ａ３、Ｂ５、Ｂ４）であっても良い。
【００２８】
図２は、本発明に係わる印刷装置の要部の一例を示すブロック図であり、ＩＣタグリーダ（リーダ・ライタ）移動機構部および制御部の概略を示したものである。
【００２９】
モータ５は、ねじシャフト４を駆動するモータ５である。このモータ５を回転させることにより、ＩＣタグリーダ１を印刷用紙２の搬送方向とは直交する方向に移動させる。このモータ５は制御部６と接続されており、その制御部６によって、モータ５の回転を制御し、ＩＣタグリーダ１の移動位置の制御を行う。
【００３０】
ＩＣタグ３とＩＣタグリーダ１との間で通信される情報は、ＩＣタグリーダ１と制御部６との間で入出力され、記憶部９、操作部７、表示部８またはホスト１０によって入出力される。
【００３１】
記憶部９は、印刷装置に関する情報または実際に印刷する情報に関する情報等を記憶するもので、それら情報をＩＣタグ３に対して書き込む。
【００３２】
なお、ＩＣタグリーダ１がＩＣタグリーダ・ライタである場合には、ＩＣタグ３に蓄積されている情報（例えば、タグコード、用紙の種別、ＩＣタグの位置情報、その他のＩＣタグに関する情報）を読み取り、記憶部９に記憶する。
【００３３】
次に、実際にＩＣタグリーダ１を移動するには、ホスト１０からの指示入力の受け付けや、操作部７からの指示入力の受け付けにより行われる。これらの受け付けた情報は、制御部６に入力され、制御部６は、モータ５を駆動制御する。
【００３４】
特に、操作部７からの入力では、制御情報として、表示部８によりそのＩＣタグ３の位置情報を表示する。ホスト１０からの入力についても同様で、制御情報をホスト１０の表示手段（例えはディスプレイ等）に表示する（図示しない）。
【００３５】
このように、これらの入力指示情報により制御部６を制御してＩＣタグリーダ１が移動し、ＩＣタグリーダ１で読み取った情報が制御部６を介して、表示部８、記憶部９、ホスト１０に出力される。ホスト１０からの入力および操作部８からの入力についての詳細は後に説明する。
【００３６】
図３は、ＩＣタグリーダ１の移動させるにあたって、ＩＣタグ３の位置を検出するメカニズムを表したものである。ここで、ＩＣタグ３が図３に示すように印刷用紙の左側に存在することする。ＩＣタグリーダ１からは所定の電波（例えば、１３．５６ＭＨｚの電磁波）を送信し、ＩＣタグ３側もこの電波帯域を利用して受信する。この時の通信における電波強度は、通常ＩＣタグ３と通信を行う強度程度に設定されている。
【００３７】
ＩＣタグリーダ１から電波が送信されると、通常は、ＩＣタグ３と所定のプロトコルによりネゴシエーションが行われる。このネゴシエーションの段階においては、ＩＣタグ３が存在すれば、ネゴシエーションが行われ、ＩＣタグのコード認証などを行った後、データ通信を行うが、ＩＣタグが存在しなければ、ネゴシエーションは行えず通信することができない。
【００３８】
ここで、ＩＣタグリーダ１とＩＣタグ３との距離があると、ＩＣタグリーダ１からの電波がＩＣタグ３に届かないので、通信を行うことができない。このような場合には、制御部６からの制御により、モータ５が駆動され、ＩＣタグリーダ１とＩＣタグ３の通信が可能となる位置までＩＣタグリーダ１が左側に移動する。
【００３９】
通信が可能な位置までＩＣタグリーダ１が移動すると、所定のネゴシエーション動作が実施される。なお、ＩＣタグリーダ１がその移動範囲を移動しても、ネゴシエーションが行えないときは、制御部６において、ＩＣタグ３が故障しているか、ＩＣタグ付きの印刷証紙でないと判断する。
【００４０】
通信が可能か否かによってＩＣタグリーダ１は移動するが、ＩＣタグリーダ１とＩＣタグ３とが通信可能な状態になった場合であっても、お互いの通信時における電波強度が弱いと安定的な通信を行うことができない。そこで、ＩＣタグリーダ１では、ＩＣタグ３からの信号の受信強度を検出し、その検出した受信強度によってさらに移動するようにして、安定的な通信を実現する。
【００４１】
また、初めから受信強度に着目し、ＩＣタグリーダ１を移動させながら受信強度を検出して、受信強度の強弱により、位置を決定してもよい。この場合、ネゴシエーションシーケンスの一部を使って行ってもよい。
【００４２】
次にＩＣタグリーダ１の移動をホスト１０から指示する場合について、図４を用いて説明する。
【００４３】
図４は、ホスト１０にインストールされたプリンタドライバの一画面であって、ＩＣタグリーダ１の位置を設定する画面である。ここで、ＩＣタグリーダ位置表示ウィンドウ２０はＩＣタグリーダ１の位置を表示するものである。ＩＣタグリーダ１はＩＣタグリーダ位置表示ウィンドウ２０中、ＩＣタグリーダ２０ａによって表現されている。また、移動する範囲は、スケールとして表現されており、ＩＣタグリーダ位置表示ウィンドウ２０中、２０ｃから２０ｄ間がその範囲であり、その範囲の中心が２０ｂである。
【００４４】
実際にＩＣタグリーダ１を移動する場合には、ＩＣタグリーダ移動指示ウィンドウ２０に示す矢印ボタン２１ａおよび２１ｂを押すことで左右に移動させる。移動に伴う態様はＩＣタグリーダ位置表示ウィンドウ２０に表現される。また、直接的に移動させたい数値を入力してもよい。その際には、数値入力ウィンドウ２２に直接入力することによって行う。本実施例では、スケールセンタ２０ｂからの距離として数値を数値入力ウィンドウ２２に入力するようにしている。ＩＣタグリーダ１を所定の位置に移動させるものであれば、これ以外の態様であってもかまわない。
【００４５】
また、ＩＣタグリーダ１の位置を最適な位置への移動設定を可能とするため、プリンタドライバの画面表示としてＩＣタグリーダ１の受信強度を表示するようにしたものが図５である。
【００４６】
図５に示すＩＣタグ位置の設定画面では、ウィンドウ２３に示すようにＩＣタグリーダ１の受信強度を表示することが可能となっている。受信強度は、棒グラフのように図示され、棒グラフの棒が長いほど受信強度は強い。受信強度表示を行うためには、測定ボタン２４を押すことにより行う。この受信強度の測定により、現時点でのＩＣタグリーダ１の位置における受信強度をウィンドウ２３に表示する。そして、前記した矢印ボタン２１ａおよび２１ｂを操作して、ＩＣタグリーダ１の位置を移動し、再度測定ボタン２４を押すことにより、移動した位置での受信強度をウィンドウ２３に表示する。ウィンドウ２３中、安定レベル２３ａまでに受信強度が達していれば、安定的な通信を行うことが可能となる。
【００４７】
次に、印刷装置の操作部７を利用して、ＩＣタグリーダ１の位置を設定する方法について図６によって説明する。操作部７において、所定の階層メニューの内、ＩＣタグ位置設定メニュー（図示しない）に移行する。
【００４８】
その階層にてＩＣタグリーダの位置移動モードに入ると、図６（ａ）の表示が現れる。ここで、「＋」がＩＣタブリーダ１の位置する場所を示している。位置を変更するには、操作部に付属する上下左右の矢印ボタン（図示しない）の内、左右ボタンを押下して行う。
【００４９】
また、ＩＣタグリーダ１の受信強度を測定するには、同様に、ＩＣタグ位置設定メニューからＩＣタグリーダ１の受信強度モードに入り、そのモードに入ると図６（ｂ）の表示が現れる。ここで、決定ボタン（図示しない）の押下すると、ＩＣタグリーダ１の受信強度を測定する。測定して受信強度は、「｜」によってそのときの強度を示す。
【００５０】
ＩＣタグリーダ１の位置移動モードとＩＣタグリーダ１の受信強度モードを交互に繰り返すことにより、適切なＩＣタグリーダ１の位置を決定することができる。
【００５１】
次に、図７により、印刷装置におけるＩＣタグリーダ１の動作について説明する。まず、印刷装置に印刷用紙をセットする（Ｓ１００）。印刷用紙がセットされると、その印刷用紙がＩＣタグ付き印刷用紙か否かを判断する（Ｓ１０１）。ＩＣタグ付き印刷用紙ではなかった場合には（Ｓ１０１Ｎｏ）、ここで終了するが（Ｓ１０２）、ＩＣタグ付き印刷用紙であった場合には（Ｓ１０１ＹＥＳ）、ＩＣタグリーダ１の位置設定に移行する（Ｓ１０３）。
【００５２】
ＩＣタグリーダ１の位置設定には、ＩＣタグリーダ１から出力した電波に対してＩＣタグ３が応答してきた電波をＩＣタグリーダ１で受信する強度を測定して行う（Ｓ１０４）。ここでは、安定的な受信強度を確保し、安定的な印刷動作を行える安定電波強度が規定値として予め印刷装置に入力されており、その強度が規定値以上か否かにより判断を行う（Ｓ１０５）。
【００５３】
ＩＣタグリーダ１の受信強度が規定値以上でなかった場合には（Ｓ１０５Ｎｏ）、ＩＣタグリーダ１の位置を移動し（Ｓ１０６）、再度、受信電波強度の測定を行う（Ｓ１０４）。ＩＣタグリーダ１の受信強度が規定値以上であった場合には（Ｓ１０５ＹＥＳ）、その位置にＩＣタグリーダ１の位置を決定する（Ｓ１０７）。
【００５４】
このようにＩＣタグリーダ１の位置を決定することで、印刷時におけるＩＣタグ３とＩＣタグリーダ１の通信が確実に可能となる。
【実施例２】
【００５５】
実施例１では、印刷用紙として、連続紙を例として説明したが、実施例２においては、カット紙を例として説明する。ＩＣタグリーダ１の移動に関する機構については、実施例１と同様なので、ここでの説明は省力し、カット紙の場合におけるＩＣタグリーダ１の位置設定について説明する。
【００５６】
図８にプリンタドライバでの設定画面を示す。この設定画面では、印刷用紙の種別を指定する項目として「用紙サイズ」設定部２５を有している。この設定部２５で用紙を設定することにより、その用紙の規格にあったＩＣタグリーダ１の移動範囲が限定される。
【００５７】
用紙の種類は設定部２５に設けられたプルダウンメニューによって行われる。なお、ここでは、単に用紙の種類を指定しているが、標準的に用意されたＩＣタグ付き印刷用紙の指定も可能であって、その際には、ＩＣタグの位置情報も、その指定により一意に定まるので、ＩＣタグリーダ１の移動は自動的に行うことができる。このような場合には、いくつかの標準的なＩＣタグ付き印刷用紙に対するＩＣタグ３の位置をテーブルとして印刷装置内部に保持しても良いし、プリンタドライバで保持していてもよい。
【００５８】
ＩＣタグリーダ１の移動については、実施例１で示したように、左右の矢印ボタンか数値入力によって行われ、最適位置の決定については、同じく実施例１で示したように受信強度の測定によって行われる。
【００５９】
次に、別の設定画面として、図９に示すように、用紙サイズの指定の他にその用紙の方向について指定できるようにしてもよい。用紙方向の指定は、設定部２６により行われ、その時の態様が表示部２７に表示される。ＩＣタグリーダ１の移動範囲がさらに限定されるので、ＩＣタグリーダ１の位置設定が容易となる。
【００６０】
なお、ここでも、単に用紙の種類と方向を指定しているが、標準的に用意されたＩＣタグ付き印刷用紙の指定も可能であって、そのような印刷証紙を指定した場合には、ＩＣタグ３の位置が表示部２７に印刷用紙とともに表示される。
【００６１】
同様に、いくつかの標準的なＩＣタグ付き印刷用紙に対するＩＣタグ３の位置をテーブルとして印刷装置内部に保持しても良いし、プリンタドライバで保持していてもよい。プリンタドライバで保持すれば、複数種類のＩＣタグ付き印刷用紙におけるＩＣタグ３の位置が表示部２７に表示される。
【００６２】
このようにして、連続紙だけでなく、カット紙でもＩＣタグリーダ１の最適位置を設定することが可能となり、印刷時におけるＩＣタグ３とＩＣタグリーダ１の通信を確実に行なうことができる。
【産業上の利用可能性】
【００６３】
本発明の印刷装置は、ＩＣタグが設けられた印刷用紙に対して、印刷を行う印刷装置に適用可能であり、特に、種々のＩＣタグ付き印刷用紙であっても、ＩＣタグとＩＣタグリーダとの安定的な通信確保することができるため、多くの種類の印刷用紙を取り扱って頻繁に印刷出力が行われるオフィスおよび部署で有効利用することができる。
【図面の簡単な説明】
【００６４】
【図１】本発明に係わる印刷装置のＩＣタグリーダの機構概略を示す図である。
【図２】本発明に係わる印刷装置の全体構成の一例を示すブロック図である。
【図３】本発明に係わるＩＣタグリーダとＩＣタグとの位置関係の一例を示す図である。
【図４】本発明に係わるＩＣタグリーダの設定に関するプリンタドライバにおける設定画面の一例を示す図である。
【図５】本発明に係わるＩＣタグリーダの設定に関するプリントドライバにおける設定画面の一例を示す図である。
【図６】本発明に係わるＩＣタグリーダの設定に関する操作パネルにおける設定画面の一例を示す図である。
【図７】本発明に係わる印刷装置のＩＣタグリーダの動作を説明するフローチャートである。
【図８】本発明に係わるＩＣタグリーダの設定に関するプリンタドライバにおける設定画面の一例を示す図である。
【図９】本発明に係わるＩＣタグリーダの設定に関するプリンタドライバにおける設定画面の一例を示す図である。
【符号の説明】
【００６５】
１    ＩＣタグリーダ（ＩＣタグリーダ・ライタ）
２    印刷用紙
３    ＩＣタグ
４    ねじシャフト
５    モータ
６    制御部
７    操作部
８    表示部
９    記憶部
１０  ホスト
２０  ＩＣタグリーダ位置表示ウィンドウ
２０ａ  ＩＣタグリーダ
２０ｂ  スケールセンタ
２０ｃ  スケールレフト
２０ｄ  スケールライト
２１  ＩＣタグリーダ移動指示ウィンドウ
２１ａ  右矢印ボタン
２１ｂ  左矢印ボタン
２２  数値入力ウィンドウ
２３  受信強度表示ウィンドウ
２３ａ  安定レベル
２４  測定ボタン
２５  用紙サイズ設定部
２６  用紙方向設定部
２７  表示部
【図１】
2007283589.tif 000003
【図２】
2007283589.tif 000004
【図３】
2007283589.tif 000005
【図４】
2007283589.tif 000006
【図５】
2007283589.tif 000007
【図６】
2007283589.tif 000008
【図７】
2007283589.tif 000009
【図８】
2007283589.tif 000010
【図９】
2007283589.tif 000011